(57)【要約】　　　（修正有）【課題】高力率形のインバータ装置を提供する。【解決手段】一対のアーム用コンデンサ１２・１４とスイッチング素子６２・６４と逆並列接続のフライホイールダイオード７２・７４を備える。コンデンサ１２・１４とスイッチング素子６２・６４でハーフブリッジ形インバータ回路を形成する。誘導性負荷５０と補助コンデンサ回路２０の各端をスイッチング素子６２・６４とコンデンサ１２・１４間の中点へ接続する。交流電源３１電圧を全波整流する整流電源３０を備える。記整流電源３０の直流正極側端子ＤＰを両スイッチング素子６２・６４の回路の正極側端子へ接続する。直流負極側端子ＤＮを両スイッチング素子６２・６４の回路の負極側端子へ接続する。第一交流側端子Ａ１を補助コンデンサ回路２０の第一コンデンサ２２・第二コンデンサ２４間の中点へ接続し、第二交流側端子Ａ２を第三コンデンサ２６・第四コンデンサ２８間の中点へ接続する。【選択図】　　図１
2004120988.tif 000002
【特許請求の範囲】
【請求項１】
直列一対のアーム用コンデンサ１２・１４を備え順頂直列一対のスイッチング素子６２・６４を備え、前記各スイッチング素子６２・６４と逆並列に接続するフライホイールダイオード７２・７４を備え、前記両アーム用コンデンサ１２・１４と前記両スイッチング素子６２・６４とをブリッジ形に結線してハーフブリッジ形インバータ回路を形成し、前記両スイッチング素子６２・６４間の中点へ一端を接続する誘導性負荷５０を備え、
前記誘導性負荷５０の他端を前記両アーム用コンデンサ１２・１４間の中点へ接続する補助コンデンサ回路２０を備え、前記補助コンデンサ回路２０は第一コンデンサ２２・第二コンデンサ２４の直列回路と第三コンデンサ２６・第四コンデンサ２８の直列回路とを並列に接続する直並列回路であり、
交流電源３１電圧を全波整流する整流電源３０を備え、前記整流電源３０の直流正極側端子ＤＰを前記両スイッチング素子６２・６４の回路の正極側端子へ接続し、前記整流電源３０の直流負極側端子ＤＮを前記両スイッチング素子６２・６４の回路の負極側端子へ接続し、前記整流電源３０の任意一方の第一交流側端子Ａ１を前記第一コンデンサ２２・第二コンデンサ２４間の中点へ接続し、前記整流電源３０の他方の第二交流側端子Ａ２を前記第三コンデンサ２６・第四コンデンサ２８間の中点へ接続することを特徴とするインバータ装置。
【発明の詳細な説明】
【０００１】
【発明の属する技術分野】
本発明は電源回路の出力を高周波に変換して誘導性負荷へ供給するインバータ装置に関するものである。
【０００２】
【従来の技術】
交流電源電圧を整流する整流電源を備え、前記整流電源電圧を平滑する平滑用コンデンサを備え、前記平滑用コンデンサ電圧を高周波に変換して誘導性交流負荷へ供給するインバータ装置は公知である。
【０００３】
【発明が解決しようとする課題】
前記従来装置は整流電源へ平滑用コンデンサを直に接続する形態であり、低力率形動作となる。その場合の整流電源電流はその電圧瞬時値がほぼ最大となる付近でピーク状に流れるが、その他の期間は給電休止期間であり、低力率形となる。本発明の目的は高力率形のインバータ装置を提供することである。
【０００４】
【課題を解決するための手段】
本発明は、整流電源の直流正極側端子を前記両スイッチング素子の回路の正極側端子へ接続し、前記整流電源の直流負極側端子を前記両スイッチング素子の回路の負極側端子へ接続し、前記整流電源の任意一方の第一交流側端子を前記第一コンデンサ・第二コンデンサ間の中点へ接続し、前記整流電源の他方の第二交流側端子を前記第三コンデンサ・第四コンデンサ間の中点へ接続することにより、交流電源の影響で、交流側端子のうちの高電位側端子は限度値を越えて低電位となることができず、また低電位側端子は限度値を越えて高電位となることができない。そうした限度を越えて変化しようとする時に、交流電源給電がなされその導通角が増して高力率となる。
【０００５】
【発明の実施の形態】
図１を用いて本発明の実施形態について説明する。図１のインバータ装置は、直列一対のアーム用コンデンサ１２・１４を備え、順直列一対のスイッチング素子６２・６４を備え、前記各スイッチング素子６２・６４と逆並列に接続するフライホイールダイオード７２・７４を備え、前記両アーム用コンデンサ１２・１４と前記両スイッチング素子６２・６４とをブリッジ形に結線してハーフブリッジ形インバータ回路を形成し、前記両スイッチング素子６２・６４間の中点へ一端を接続する誘導性負荷５０を備え、前記誘導性負荷５０の他端を前記両アーム用コンデンサ１２・１４間の中点へ接続する補助コンデンサ回路２０を備え、前記補助コンデンサ回路２０は第一コンデンサ２２・第二コンデンサ２４の直列回路と第三コンデンサ２６・第四コンデンサ２８の直列回路とを並列に接続する直並列回路であり、交流電源３１電圧を全波整流する整流電源３０を備え前記整流電源３０の直流正極側端子ＤＰを前記両スイッチング素子６２・６４の回路の正極側端子へ接続し、前記整流電源３０の直流負極側端子ＤＮを前記両スイッチング素子６２・６４の回路の負極側端子へ接続し、前記整流電源３０の任意一方の第一交流側端子Ａ１を前記第一コンデンサ２２・第二コンデンサ２４間の中点へ接続し、前記整流電源３０の他方の第二交流側端子Ａ２を前記第三コンデンサ２６・第四コンデンサ２８間の中点へ接続したインバータ装置である。
【０００６】
前記整流電源３０は図２に示す整流ダイオード３２〜３５で構成されＤＰ・ＤＮ・Ａ１・Ａ２端子がそれぞれ図１のＤＰ・ＤＮ・Ａ１・Ａ２端子に接続される。この回路の動作について説明する。
前記各スイッチング素子６２・６４と前記各フライホイールダイオード７２・７４は６２→７４→６４→７２→６２の順に繰り返しオンする。スイッチング素子６２がオンのときは、アーム用コンデンサ１２→スイッチング素子６２→誘導性負荷５０→第二コンデンサ２４（第四コンデンサ２８）→第一コンデンサ２２（第三コンデンサ２６）→アーム用コンデンサ１２の閉回路に電流が流れる。フライホイールダイオード７４がオンのときは、誘導性負荷５０→第二コンデンサ２４（第四コンデンサ２８）→第一コンデンサ２２（第三コンデンサ２６）→アーム用コンデンサ１４→フライホイールダイオード７４→誘導性負荷５０の開回路に電流が流れる。
スイッチング素子６４がオンのときは、アーム用コンデンサ１４→第一コンデンサ２２（第三コンデンサ２６）→第二コンデンサ２４４（第四コンデンサ２８）→誘導性負荷５０→スイッチング素子６４の閉回路に電流が流れる。
フライホイールダイオード７２がオンのときは、誘導性負荷５０→フライホイールダイオード７２→アーム用コンデンサ１２→第一コンデンサ２２（第三コンデンサ２６）→第二コンデンサ２４（第四コンデンサ２８）→誘導性負荷５０の閉回路に電流が流れる。
以下、上記の繰り返し動作となる。
【０００７】
この動作において、整流電源３０の交流側端子Ａ１・Ａ２の電位は変動する。しかし、交流電源３１の影響で交流側端子Ａ１・Ａ２のうちの高電位端子は限度値を越えて低電位となることができず、また低電位側端子は限度値を越えて高電位となることができない。そうした限度を越えて変化しようとする時にスイッチング素子６２がオンのときは、交流電源３１→整流ダイオード３２（整流ダイオード３４）→スイッチング素子６２→誘導性負荷５０→第四コンデンサ２８（第二コンデンサ２４）→交流電源３１の開回路に電流が流れる。
また、スイッチング素子６４がオンの時は、交流電源３１→第二コンデンサ２４（第四コンデンサ２８）→誘導性負荷５０→スイッチング素子６４→整流ダイオード３５（整流ダイオード３３）→交流電源３１の開回路に電流が流れる。
以上のように交流電源３１からの給電がなされるため高力率とすることができる。
【０００８】
【発明の効果】
本発明は、第一コンデンサ・第三コンデンサが接続されているため交流側端子電位は変動可能となり、交流電源からの給電がなされ高力率となる。
【図面の簡単な説明】
【図１】本発明装置の回路図である。
【図２】その整流電源３０の構成図である。
【符号の説明】
１２・１４：アーム用コンデンサ、２０：補助コンデンサ回路、２２：第一コンデンサ、２４：第二コンデンサ、２６：第三コンデンサ、２８：第四コンデンサ、３０：整流電源、３１：交流電源、３２〜３５：整流ダイオード、ＤＰ：直流正極側端子、ＤＮ：直流負極側端子、Ａ１・Ａ２：交流側端子、５０：誘導性負荷、６２・６４：スイッチング素子、７２・７４：フライホイールダイオード
【図１】
2004120988.tif 000003
【図２】
2004120988.tif 000004